(57)【要約】      （修正有）【課題】氏名などの持ち主標識を恒久的かつ簡単に行える筆記具を提供する。【解決手段】キャップと筆記本体からなり、持ち主氏名その他を直接書き込むことのできる識別表示部を複数具備する。識別表示部は筆記具の複数個所に設ける。【選択図】図３
0003156697.tif 000002
【実用新案登録請求の範囲】
【請求項１】
キャップと筆記本体からなり、持ち主氏名その他を直接書き込むことのできる識別表示部を複数具備する筆記具であって、前記表示部は筆記具の複数個所に設けて、持ち主の識別を容易にしたことを特徴とする筆記具。
【請求項２】
請求項１記載の筆記具において、キャップはポケットなどへ係止するためのクリップを有し、筆記本体は筆記尖端を有する筆記芯とこの筆記芯を収納する外筒からなり、前記識別表示部はクリップおよび／又は外筒の表面に形成したことを特徴とする筆記具。
【請求項３】
請求項２記載の筆記具において、前記識別表示部はクリップ、外筒に形成した平面部で構成し、この平面部に持ち主氏名その他の標識を直接書き込むことができるようにしたことを特徴とする筆記具。
【考案の詳細な説明】
【技術分野】
【０００１】
本願考案は、サインペンなどの筆記具に氏名、その他の標識を直接書き込むことのできる筆記具に関するものである。
【背景技術】
【０００２】
従来、幼稚園、保育園などの幼児育成施設では、幼児、小児が各種の筆記具を使用して、情操教育の一環としてお絵かきなどが日常的に行われている。  ところが、このような現場では複数の幼児、小児らが複数のサインペンその他の筆記具を使用することから、ほとんどの場合、自分の持ち物と他人の持ち物が錯綜、散乱してしまい収拾がつかなくなってしまう。
【０００３】
このため、持ち主を判別できるように、持ち主の氏名その他の標識をサインペンなどの筆記用具に表示することが必須となっている。  そして、従来の判別手段は筆記用具に氏名、標識などを適宜な紙片に書いてこれを筆記具に貼付する例が多かった。
【考案の開示】
【考案が解決しようとする課題】
【０００４】
しかしながら、紙片に氏名などを表示してこれを筆記具に貼付するといった上述の従来手段は、対象の筆記具への貼付に適した各種の紙片を準備して、これに氏名などを書き込み、さらにこれら紙片を各種の筆記具に糊付けなどや透明テープにより貼付する必要があり、非常に煩瑣な作業を必要としていた。
【０００５】
また、せっかく貼付した標識用の紙片は、幼児らの日常使用において、簡単に剥落してしまったり、あるいは幼児らがこれを剥がしてしまうなどの例も少なからずあり、そうなると、保護者などは上記の煩雑な作業をしょっちゅう繰り返すなどの不都合があった。  したがって、幼児、小児が幼稚園、保育園など大勢が集まる育成施設で筆記具を使用する場合には、氏名などの持ち主標識を筆記具に恒久的かつ簡単に行えることが求められている。  本願考案は、以上のような課題を解決することを目的としている。
【課題を解決するための手段】
【０００６】
本願考案は、キャップと筆記本体からなり、持ち主氏名その他を直接書き込むことのできる識別表示部を複数具備する筆記具であって、前記表示部は筆記具の複数個所に設けた筆記具を提供して、持ち主の識別を容易にして上記従来の課題を解決しようとするものである。
【０００７】
また、上記の筆記具において、キャップはポケットなどへ係止するためのクリップを有し、筆記本体は筆記尖端を有する筆記芯とこの筆記芯を収納する外筒からなり、前記識別表示部はクリップおよび／又は外筒の表面に形成する構成となすことがある。
【０００８】
さらに、段落０００７の筆記具において、前記識別表示部はクリップ、外筒に形成した平面部で構成し、この平面部に持ち主氏名その他の標識を直接書き込むことができるように構成することがある。
【考案の効果】
【０００９】
本願考案は、簡単な構成により、氏名その他の持ち主標識を筆記具に直接書き込むことができるので、筆記具を長い間使用しても、氏名その他の持ち主標識が剥落、消滅したり、また幼児らの行為によりはがれたり、消えてしまうことがない。  また、筆記具への氏名その他の持ち主標識は、適宜な筆記具により直接書き込むことができるので作業が非常にやりやすく、保護者などにとっては、は煩瑣な作業を何度も繰り返す必要がなくなる。
【実施例】
【００１０】
次に、図面により本願考案の実施例を説明する。  
図１は、本願考案に係る筆記具における筆記本体の一実施例を示す説明図であり、図１（a）はキャップと筆記本体からなる筆記具のうちの筆記本体を示す側面図で、筆記本体は、例えば、サインペンの筆先である筆記尖端を有する前記筆先にインクを供給する筆記芯と、この筆記芯を収納する外筒から構成されるが、図１（a）は、外筒1のみを示している。  また、図１（ｂ）は、図１（a）のＸ−Ｘ線断面図である。
【００１１】
図１において、１は前記のように、外筒であり、この外筒１の本体部２は、その外表面には複数の平面部３，３，３．．が形成されており、この外表面が持ち主氏名その他を直接書き込むことのできる識別表示部を構成している。
【００１２】
当該実施例では、外筒１の外表面に等間隔で形成された平面部は３面であり、したがって、外筒１は、図１（ｂ）に示すように、ほぼ断面が正六角形の形状を呈することになる。
前記のように平面部３により識別表示部が構成されているが、この識別表示部（平面部３）は、そこにサインペンをはじめとする種々の筆記用具により持ち主氏名その他の標識を直接書き込むことができるような処理を施しておくことが望ましい。  このような特別な処理を施さない場合にも、少なくとも平面部３を滑面にすることなどは回避すべきである。  滑面では、筆記具の種類、特にインクよっては直接の書き込みが難しくなることもあるからである。
【００１３】
図２は、前記外筒１に嵌合する本願考案に係るキャップ一実施例を示す説明図であり、図２（a）はキャップの平面図、図２（ｂ）は正面図である。
キャップ４は、本体５とポケットなどへ当該筆記具を係止するためのクリップ６とを有していて、クリップ６の表面は平面部に形成され、このクリップ６の平面部で識別表示部が構成されている。  このクリップ６の表面部にはサインペンをはじめとする種々の筆記用具により持ち主氏名その他の標識を直接書き込むことができるような処理を施しておくことが望ましい。  このような特別な処理を施さない場合にも、少なくともクリップ平面部を滑面にすることなどは回避すべきである。  滑面では、筆記具の種類、特にインクよっては直接の書き込みが難しくなることもあるからである。
【００１４】
図３は、上述した実施例に係る筆記具の複数の識別表示部に筆記具の持ち主の氏名を別の筆記具であるサインペンなどにより直接書き込んだ例を示す平面図である。
この外筒１、キャップ４を有する筆記具には、全部で７箇所の識別表示部が形成されている。  すなわち、キャップ１のクリップ表面に１箇所、外筒１の周囲に６箇所の識別表示部が設けられている。  そして、この７箇所のすべてに、例えば持ち主である園児名「日本太郎」がサインペンなどの筆記具により直接書き込まれている。  したがって、氏名が書き込まれた筆記具や時にはキャップが他のものと紛れても、指名が簡単明瞭に判別できるから、これを他のものと容易にえり分けて所定の容器などに収納することができる。
【図面の簡単な説明】
【００１５】
【図１】本願考案に係る筆記具における筆記本体の一実施例を示す説明図であり、図１（a）はキャップと筆記本体からなる筆記具のうちの筆記本体を示す側面図、図１（ｂ）は、図１（a）のＸ−Ｘ線断面図である。本願に係るクレヨン入れの第１実施例に係る本体部を示す斜視図である。
【図２】本願考案に係るキャップ一実施例を示す説明図であり、図２（a）はキャップの平面図、図２（ｂ）は正面図である。
【図３】複数の識別表示部に筆記具の持ち主の氏名を別の筆記具であるサインペンなどにより直接書き込んだ例を示す平面図である
【符号の説明】
【００１６】
１．．．．．．．外筒
２．．．．．．．本体部
３．．．．．．．平面部（識別表示部）
４．．．．．．．キャップ
５．．．．．．．（キャップ）本体
６．．．．．．．クリップ
【図１】
0003156697.tif 000003
【図２】
0003156697.tif 000004
【図３】
0003156697.tif 000005